【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
複数の画像形成装置のそれぞれに備えられた特定の機能を、通信回線を介して使用するコンピュータに用いられる、コンピュータプログラムであって、
前記コンピュータに、
過去の期間ごとに当該過去の期間における前記複数の画像形成装置のそれぞれのリソースの使用の集中の度合を更新して記憶する記憶手段から、前記特定の機能を使用する使用時点が該当する期間と属性が同じである過去の期間の前記度合を取得する、取得処理を実行させ、
前記記憶手段から取得した前記度合の中に所定の値未満である度合が複数ある場合に、当該複数の度合のうちの当該所定の値との差が最も大きい度合に係る画像形成装置の前記特定の機能を使用する機能使用処理を実行させる、
ことを特徴とするコンピュータプログラム。
【請求項２】
前記記憶手段は、前記複数の画像形成装置のそれぞれとブラウザとの間で同時に最も多く確立されていたセッションの数である最多同時セッション数を前記度合として記憶し、
前記所定の値は、前記複数の画像形成装置のそれぞれに設定されている、前記複数の画像形成装置のそれぞれとの間で同時に確立しておくことのできるセッションの数の上限の数である上限同時セッション数から、当該上限同時セッション数よりも小さい第二の所定の値を引いた値である、
請求項１に記載のコンピュータプログラム。
【請求項３】
前記記憶手段は、同時に最も多く確立されていた前記複数の画像形成装置のそれぞれへのリモートアクセスのセッションの数である最多同時セッション数を前記度合として記憶し、
前記所定の値は、前記複数の画像形成装置のそれぞれに設定されている、同時に確立しておくことのできる前記複数の画像形成装置のそれぞれへのリモートアクセスのセッションの数の上限の数である上限同時セッション数から、当該上限同時セッション数よりも小さい第三の所定の値を引いた値である、
請求項１に記載のコンピュータプログラム。
【請求項４】
前記記憶手段は、前記複数の画像形成装置のそれぞれに備えられた表示装置の単位時間当たりの使用率を記憶し、
前記所定の値は、１００％未満の値である、
請求項１に記載のコンピュータプログラム。
【請求項５】
複数の画像形成装置のそれぞれに備えられた特定の機能を、通信回線を介して使用するコンピュータに用いられる、コンピュータプログラムであって、
前記コンピュータに、
過去の期間ごとに当該過去の期間における前記複数の画像形成装置のそれぞれの第一のリソースの使用の集中の度合である第一の度合および第二のリソースの使用の集中の度合である第二の度合を更新して記憶する記憶手段から、前記特定の機能を使用する使用時点が該当する期間と属性が同じである過去の期間の当該複数の画像形成装置のそれぞれの当該第一の度合および当該第二の度合を取得する、取得処理を実行させ、
前記複数の画像形成装置の中に、取得した前記第一の度合が第一の所定の値未満でありかつ取得した前記第二の度合が第二の所定の値未満である特定の画像形成装置が複数ある場合に、当該複数の特定の画像形成装置のうちのいずれかの前記特定の機能を使用する機能使用処理を実行させる、
ことを特徴とするコンピュータプログラム。
【請求項６】
前記複数の画像形成装置のそれぞれには、ブラウザとの間で同時に確立しておくことのできるセッションの数の上限の数である第一の上限同時セッション数および同時に確立しておくことのできる当該画像形成装置自身へのリモートアクセスのセッションの数の上限の数である第二の上限同時セッション数が設定されており、
前記記憶手段には、前記複数の画像形成装置のそれぞれの、当該画像形成装置自身と前記ブラウザとの間で同時に最も多く確立されていたセッションの数である第一の最多同時セッション数が前記第一の度合として更新され記憶され、同時に最も多く確立されていた当該画像形成装置自身へのリモートアクセスのセッションの数である第二の最多同時セッション数が前記第二の度合として更新され記憶されており、
前記第一の所定の値は、前記第一の上限同時セッション数から第一の閾値を引いた値であり、
前記第二の所定の値は、前記第二の上限同時セッション数から第二の閾値を引いた値である、
請求項５に記載のコンピュータプログラム。
【請求項７】
前記複数の特定の画像形成装置のうちの、前記第一の上限同時セッション数および前記第一の最多同時セッション数の差である第一の差が最も大きい特定の画像形成装置、前記第二の上限同時セッション数および前記第二の最多同時セッション数の差である第二の差が最も大きい特定の画像形成装置、または、当該第一の差および当該第二の差の和が最も大きい特定の画像形成装置の前記特定の機能を使用する処理を、前記機能使用処理として前記コンピュータに実行させる、
請求項６に記載のコンピュータプログラム。
【請求項８】
前記複数の画像形成装置のそれぞれには、ブラウザとの間で同時に確立しておくことのできるセッションの数の上限の数である第一の上限同時セッション数が設定されており、
前記記憶手段には、前記複数の画像形成装置のそれぞれの、当該画像形成装置自身と前記ブラウザとの間で同時に最も多く確立されていたセッションの数である第一の最多同時セッション数が前記第一の度合として更新され記憶され、当該画像形成装置自身に備えられた表示装置の単位時間当たりの使用率が第二の度合として更新され記憶されており、
前記第一の所定の値は、前記第一の上限同時セッション数から第一の閾値を引いた値であり、
前記第二の所定の値は、前記使用率が１００％未満の値である、
請求項５に記載のコンピュータプログラム。
【請求項９】
前記複数の画像形成装置のそれぞれには、さらに、同時に確立しておくことのできる当該画像形成装置自身へのリモートアクセスのセッションの数の上限の数である第二の上限同時セッション数が設定されており、
前記記憶手段には、さらに、前記複数の画像形成装置のそれぞれの、同時に最も多く確立されていた当該画像形成装置自身へのリモートアクセスのセッションの数である第二の最多同時セッション数が更新され記憶されており、
前記複数の特定の画像形成装置のうちの、前記第一の上限同時セッション数および前記第一の最多同時セッション数の差である第一の差が最も大きい特定の画像形成装置、前記第二の上限同時セッション数および前記第二の最多同時セッション数の差である第二の差が最も大きい特定の画像形成装置、または、当該第一の差および当該第二の差の和が最も大きい特定の画像形成装置の前記特定の機能を使用する処理を、前記機能使用処理として前記コンピュータに実行させる、
請求項８に記載のコンピュータプログラム。
【請求項１０】
前記複数の画像形成装置のそれぞれには、同時に確立しておくことのできる当該画像形成装置自身へのリモートアクセスのセッションの数の上限の数である第一の上限同時セッション数が設定されており、
前記記憶手段には、前記複数の画像形成装置のそれぞれの、同時に最も多く確立されていた当該画像形成装置自身へのリモートアクセスのセッションの数である第一の最多同時セッション数が前記第一の度合として更新され記憶され、当該画像形成装置自身に備えられた表示装置の単位時間当たりの使用率が第二の度合として更新され記憶されており、
前記第一の所定の値は、前記上限同時セッション数から第一の閾値を引いた値であり、
前記第二の所定の値は、前記使用率が１００％未満の値である、
請求項５に記載のコンピュータプログラム。
【請求項１１】
前記複数の画像形成装置のそれぞれには、さらに、ブラウザとの間で同時に確立しておくことのできるセッションの数の上限の数である第二の上限同時セッション数が設定されており、
前記記憶手段には、さらに、前記複数の画像形成装置のそれぞれの、当該画像形成装置自身と前記ブラウザとの間で同時に最も多く確立されていたセッションの数である第二の最多同時セッション数が更新され記憶されており、
前記複数の特定の画像形成装置のうちの、前記第一の上限同時セッション数および前記第一の最多同時セッション数の差である第一の差が最も大きい特定の画像形成装置、前記第二の上限同時セッション数および前記第二の最多同時セッション数の差である第二の差が最も大きい特定の画像形成装置、または、当該第一の差および当該第二の差の和が最も大きい特定の画像形成装置の前記特定の機能を使用する処理を、前記機能使用処理として前記コンピュータに実行させる、
請求項１０に記載のコンピュータプログラム。
【請求項１２】
前記属性は、各曜日の各時間帯である、
請求項１ないし請求項１０のいずれかに記載のコンピュータプログラム。
【請求項１３】
前記特定の機能は、データを暗号化する機能である、
請求項１ないし請求項１１のいずれかに記載のコンピュータプログラム。
【請求項１４】
前記コンピュータは、画像形成装置のコンピュータである、
請求項１ないし請求項１２のいずれかに記載のコンピュータプログラム。